(57)【特許請求の範囲】
【請求項１】
広告キーワードを購買した広告主及び広告キーワードを購買しない広告主に対して、各広告主ごとに、当該広告主ウェブサイトのタイトル、当該広告主ウェブサイトの説明文、当該広告主ウェブサイトの内容、または当該広告主によって入力された条件に含まれたキーワードを所定の単位で分析し、前記所定の単位で分析されたキーワードを生成し、
複数のユーザによって前記所定の単位で分析されたキーワードの末尾に追加入力されて完成されるクエリのうち事前に分析されて抽出されたクエリに基づいてオートコンプリートクエリを生成し、
複数のユーザによって前記所定の単位で分析されたキーワードとともに入力される他のクエリのうち事前に分析されて抽出されたクエリに基づいて前記キーワードと関連性が高いキーワードとして関連キーワードを生成し、
前記所定の単位で分析されたキーワード、前記オートコンプリートクエリ、または前記関連キーワードを組み合わせてインプレッションキーワードを生成し、
ユーザからクエリを受信し、
前記ユーザから受信したクエリと前記インプレッションキーワードとを比較し、
前記比較結果に基づいて前記インプレッションキーワードに対応する広告を表示すること、
を含み、
前記表示することは、
前記比較結果に基づいて前記インプレッションキーワードに対応する広告キーワードを購買した広告主の広告を優先的に表示する自動検索広告表示方法。
【請求項２】
前記比較することは、前記ユーザから受信したクエリに含まれたキーワードと前記インプレッションキーワードとを比較することを特徴とする請求項１に記載の自動検索広告表示方法。
【請求項３】
前記表示することは、前記比較結果に基づいて前記ユーザから受信したクエリが前記インプレッションキーワードに含まれる場合、前記インプレッションキーワードに対応する広告を表示することを特徴とする請求項１に記載の自動検索広告表示方法。
【請求項４】
請求項１から請求項３のいずれか一項に記載の方法を実行するプログラムを記録するコンピュータ読み込み可能記録媒体。
【請求項５】
広告キーワードを購買した広告主及び広告キーワードを購買しない広告主に対して、各広告主ごとに、当該広告主ウェブサイトのタイトル、当該広告主ウェブサイトの説明文、当該広告主ウェブサイトの内容、または当該広告主によって入力された条件に含まれたキーワードを所定の単位で分析し、前記所定の単位で分析されたキーワードを生成し、
複数のユーザによって前記所定の単位で分析されたキーワードの末尾に追加入力されて完成されるクエリのうち事前に分析されて抽出されたクエリに基づいてオートコンプリートクエリを生成し、
複数のユーザによって前記所定の単位で分析されたキーワードとともに入力される他のクエリのうち事前に分析されて抽出されたクエリに基づいて前記キーワードと関連性が高いキーワードである関連キーワードを生成し、
前記オートコンプリートクエリ及び前記関連キーワードを拡張キーワードとして分析する広告分析部と、
前記所定の単位で分析されたキーワードと前記拡張キーワードとを組み合わせてインプレッションキーワードを生成するインプレッションキーワード生成部と、
ユーザからクエリを受信する入力部と、
前記ユーザから受信したクエリと前記インプレッションキーワードとを比較する比較部と、
前記比較結果に基づいて前記インプレッションキーワードに対応する広告を表示する広告表示部と、
を含み、
前記広告表示部は、前記比較結果に基づいて前記インプレッションキーワードに対応する広告キーワードを購買した広告主の広告を優先的に表示する自動検索広告表示システム。
【請求項６】
前記比較部は、前記ユーザから受信したクエリに含まれたキーワードと前記インプレッションキーワードとを比較することを特徴とする請求項５に記載の自動検索広告表示システム。
【請求項７】
前記広告表示部は、前記比較結果に基づいて前記ユーザから受信したクエリが前記インプレッションキーワードに含まれる場合、前記インプレッションキーワードに対応する広告を表示することを特徴とする請求項５に記載の自動検索広告表示システム。
【発明の詳細な説明】
【技術分野】
【０００１】
本発明は、自動検索広告表示方法およびそのシステムに関し、より詳細には、ユーザ入力クエリと広告主サイトのタイトルまたは説明文を分析した結果に基づいて生成されたインプレッションキーワード（impression keyword）とを比べた結果に基づいて広告を表示する自動検索広告表示方法およびそのシステムに関する。
【背景技術】
【０００２】
一般的に、検索広告表示方法は、広告主が広告キーワードを事前に購買し、ユーザによって入力されたクエリにこの広告が含まれる場合、検索広告表示方法は広告キーワードを購買した広告主の広告を表示する。一例として、広告主が「カメラ」という広告キーワードを購買し、ユーザによって入力されたクエリに「カメラ」が含まれた場合、検索広告表示方法はこの広告主の広告を表示する。
【０００３】
このように、従来の検索広告表示方法において、広告主が広告キーワードを購買する場合にのみ広告キーワードに対応する広告が表示される。したがって、広告キーワードを購買しない広告主の広告は表示されない。
【０００４】
また、従来の検索広告表示方法は、広告主が購買した広告キーワードがクエリとして入力される場合にのみ広告が表示される。したがって、広告キーワードが人気キーワードでない場合、広告が表示される機会が制限される。
【発明の概要】
【発明が解決しようとする課題】
【０００５】
本発明は、広告主のウェブサイトのタイトルまたは説明文を分析して広告を表示する自動検索広告表示方法およびそのシステムを提供する。
【０００６】
また、本発明は、広告ウェブサイトのタイトル、内容、説明文、または条件を分析した結果に基づくキーワードがクエリとして入力される場合に、広告を表示する自動検索広告表示方法およびそのシステムを提供する。
【０００７】
また、本発明は、広告ウェブサイトのタイトル、内容、説明文、または条件に含まれたキーワードを分析して、オートコンプリートキーワード（autocomplete keyword）、関連キーワード、または推薦キーワードなどのように多様な拡張キーワードを生成して、広告を表示する自動検索広告表示方法およびそのシステムを提供する。
【０００８】
また、本発明は、広告主のリクエスト情報を活用することによって、広告主のリクエストに対処（address）して広告を表示する自動検索広告表示方法およびそのシステムを提供する。
【０００９】
さらに、本発明は、ユーザの入力情報を活用することによって、ユーザのリクエストに対処して広告を表示する自動検索広告表示方法およびそのシステムを提供する。
【課題を解決するための手段】
【００１０】
本発明の一実施形態に係る自動検索広告表示方法は、広告主ウェブサイトのタイトル、広告主ウェブサイトの説明文、広告主ウェブサイトの内容、または広告主によって入力された条件に含まれたキーワードを所定の単位で分析し、前記所定の単位で分析されたキーワードと、複数のユーザによって前記キーワードとともに入力されるクエリのうち事前に分析されて抽出されたクエリまたは前記キーワードと関連性が高いキーワードと、を用いてオートコンプリートクエリまたは関連キーワードを生成し、前記所定の単位で分析されたキーワード、前記オートコンプリートクエリ、または前記関連キーワードを個別に用いるか、または、前記所定の単位で分析されたキーワード、前記オートコンプリートクエリ、または前記関連キーワードを組み合わせてインプレッションキーワード（impression keyword）を生成し、ユーザからクエリを受信し、クエリとインプレッションキーワードとを比較し、比較結果に基づいてインプレッションキーワードに対応する広告を表示することを含む。
【００１１】
本発明の一実施形態に係る自動検索広告表示システムは、広告主ウェブサイトのタイトル、広告主ウェブサイトの説明文、広告主ウェブサイトの内容、または広告主によって入力された条件に含まれたキーワードを所定の単位で分析し、前記所定の単位で分析されたキーワードと、複数のユーザによって前記キーワードとともに入力されるクエリのうち事前に分析されて抽出されたクエリまたは前記キーワードと関連性が高いキーワードと、を用いてオートコンプリートクエリまたは関連キーワードを生成して拡張キーワードとして分析する広告分析部と、前記所定の単位で分析されたキーワードまたは前記拡張キーワードを個別に用いるか、または、前記所定の単位で分析されたキーワードと前記拡張キーワードとを組み合わせてインプレッションキーワードを生成するインプレッションキーワード生成部と、ユーザからクエリを受信する入力部と、クエリとインプレッションキーワードとを比較する比較部と、比較結果に基づいてインプレッションキーワードに対応する広告を表示する広告表示部と、を含む。
【００１２】
本発明によると、インプレッションキーワードは、広告主ウェッブサイトのタイトル、広告主ウェブサイトの説明文、広告主ウェブサイトの内容、または広告主ウェブサイトの条件を分析して生成されたキーワードであり、ユーザのクエリにインプレッションキーワードが含まれれば、そのインプレッションキーワードに対応する広告が表示されてもよい。
【発明の効果】
【００１３】
本発明の一実施形態によれば、自動検索広告表示方法およびそのシステムは、広告キーワードを個別に購買しない広告主の場合でも、広告主ウェブサイトのタイトルまたは説明文を分析して、広告を表示する。
【００１４】
また、本発明の一実施形態によれば、自動検索広告表示方法およびそのシステムは、広告ウェブサイトのタイトル、内容、説明文、または条件を分析した結果によるキーワードがクエリとして入力される場合、広告を表示する。
【００１５】
また、本発明の一実施形態によれば、自動検索広告表示方法およびそのシステムは、広告ウェブサイトのタイトル、内容、説明文、または条件に含まれたキーワードを分析して、オートコンプリートキーワード、関連キーワード、または推薦キーワードなどのような多様な拡張キーワードを生成して、広告を表示する。
【００１６】
また、本発明の一実施形態によれば、自動検索広告表示方法およびそのシステムは、広告主のリクエスト情報を活用することによって広告主のリクエストに対処して、広告を表示する。
【００１７】
さらに、本発明の一実施形態によれば、自動検索広告表示方法およびそのシステムは、ユーザの入力情報を活用することによってユーザのリクエストに対処して、広告を表示する。
【図面の簡単な説明】
【００１８】
【図１】本発明の一実施形態に係るユーザ端末機、広告主端末機、および自動検索広告表示システム関係を示す図である。
【図２】本発明の一実施形態に係る自動検索広告表示システムの構成を示す図である。
【図３】広告主ウェブサイトのタイトル、説明文、およびＵＲＬの一例を示す図である。
【図４】広告主ウェブサイトのタイトルおよび説明文を最小単位で分析した結果の一例を示す図である。
【図５】最小単位で分析されたキーワードを用いて生成されたインプレッションキーワードの一例を示す図である。
【図６】最小単位で分析されたキーワードを用いたオートコンプリートクエリの一例を示す図である。
【図７】最小単位で分析されたキーワードと関連した関連キーワードの一例を示す図である。
【図８】最小単位で分析されたキーワード、自動完成オートコンプリートクエリ、または関連キーワードを用いて生成されたインプレッションキーワードの一例を示す図である。
【図９】入力クエリに対応する広告を表示する一例を示す図である。
【図１０】本発明の一実施形態に係る自動検索広告表示方法の流れを示すフローチャートである。
【発明を実施するための形態】
【００１９】
以下、図面を参照しながら、本発明の実施形態について詳細に説明する。
【００２０】
図１は、本発明の一実施形態に係るユーザ端末機１３０、広告主端末機１１０、および自動検索広告表示システム１２０の関係を示す図である。
【００２１】
図１を参照すれば、広告主端末機１１０は、広告主から広告しようとする広告、広告主ウェブサイトのタイトル、広告主ウェブサイトの説明文、広告主ウェブサイトのＵＲＬ（Ｕｎｉｆｏｒｍ  Ｒｅｓｏｕｒｃｅ  Ｌｏｃａｔｏｒ）、または広告主からの広告条件を受信する。広告主端末機１１０は、広告主から入力された広告主ウェブサイトのタイトル、広告主ウェブサイトの説明文、広告主ウェブサイトのＵＲＬ、または広告条件を自動検索広告表示システム１２０に提供する。
【００２２】
自動検索広告表示システム１２０は、広告主端末機１１０から提供された広告主ウェブサイトのタイトル、広告主ウェブサイトの説明文、広告主ウェブサイトのＵＲＬ、または広告条件を分析する。すなわち、自動検索広告表示システム１２０は、広告主ウェブサイトのタイトル、広告主ウェブサイトの説明文、広告主ウェブサイトのＵＲＬ、または広告条件に含まれたキーワードを最小単位で分析する。自動検索広告表示システム１２０は、所定の単位で分析されたキーワードをインプレッションキーワードとして個別に生成するか、又は、最小の単位で分析されたキーワードを組み合わせてインプレッションキーワードを生成する。また、自動検索広告表示システム１２０は、最小単位で分析されたキーワードを用いてオートコンプリートクエリまたは関連キーワードを生成してもよい。自動検索広告表示システム１２０は、最小単位で分析されたキーワード、オートコンプリートクエリ、または関連キーワードを組み合わせてインプレッションキーワードを生成してもよい。
【００２３】
ユーザ端末機１３０は、ユーザからクエリ（ｑｕｅｒｙ）を受信する。すなわち、ユーザ端末機１３０は、自動検索広告表示システム１２０と連動する。ユーザ端末機１３０は、ユーザから検索サービスを使用するためのクエリを受信する。ユーザ端末機１３０は、ユーザによって入力されたクエリを自動検索広告表示システム１２０に提供する。
【００２４】
自動検索広告表示システム１２０は、クエリとインプレッションキーワードとを比較する。すなわち、自動検索広告表示システム１２０は、インプレッションキーワードとクエリに含まれたキーワードとを比較する。そして、自動検索広告表示システム１２０は、比較結果に基づいてインプレッションキーワードに対応する広告を表示する。すなわち、自動検索広告表示システム１２０は、比較結果に基づいてクエリにインプレッションキーワードが含まれる場合、インプレッションキーワードに対応する広告を表示することができる。一例として、自動検索広告表示システム１２０は、比較結果に基づき、インプレッションキーワードを広告キーワードとして購買した広告主の広告を優先して表示してから、広告キーワードを購買していない広告主のインプレッションキーワードに対応する広告を表示することができる。自動検索広告表示システム１２０には、クリック単価（ＣＰＣ：Ｃｏｓｔ  ｐｅｒ  ｃｌｉｃｋ）方式または定額制課金方式などのように多様な課金方式が適用されてもよい。
【００２５】
ユーザ端末機１３０は、自動検索広告表示システム１２０からクエリに対する検索結果と共に表示される広告が提供される。
【００２６】
図２は、本発明の一実施形態に係る自動検索広告表示システムの構成を示す図である。
【００２７】
図２を参照すれば、自動検索広告表示システム１２０は、入力部２１０と、広告分析部２２０と、インプレッションキーワード生成部２３０と、比較部２４０と、広告表示部２５０と、広告データベース２６０とを含む。
【００２８】
入力部２１０は、広告主から広告主のウェブサイトのタイトル、広告主のウェブサイトの説明文、広告内容、または広告条件を受信する。特に、入力部２１０は、広告主から広告主のウェブサイトのタイトル、広告主のウェブサイトの説明、広告主のウェブサイトのＵＲＬ、広告内容、または広告条件を受信してもよい。
【００２９】
図３は、広告主のウェブサイトのタイトル３１０、説明文３２０、およびＵＲＬ３３０の一例を示す図である。
【００３０】
図３を参照すれば、広告主のウェブサイトのタイトル３１０は、例えば「インターパークキャノンカメラ（Interpark Canon camera）」のように、広告主が広告しようとする広告主のウェブサイトのタイトルであってもよい。広告主ウェブサイトの説明文３２０は、例えば「キャノンカメラ、ブランド別、画素別デジタルカメラ、デジタルカムコーダ、楽しいインターパークショッピング」のように、広告主がユーザに広告しようとするウェブサイトを説明するための単語であってもよい。広告主ウェブサイトのＵＲＬ３３０は、例えば「ｈｔｔｐ：／／ｗｗｗ．ｉｎｔｅｒｐａｒｋ．ｃｏｍ」のように、広告主ウェブサイトのＵＲＬ情報であってもよい。
【００３１】
また、入力部２１０は、ユーザからクエリを受信する。すなわち、入力部２１０は、検索しようとする内容に対応するクエリをユーザから受信してもよい。
【００３２】
広告分析部２２０は、広告主ウェブサイトのタイトルまたは広告主ウェブサイトの説明文を分析する。すなわち、広告分析部２２０は、広告主ウェブサイトのタイトル、広告主ウェブサイトの説明文、広告主ウェブサイトの内容、または広告主によって入力された条件に含まれたキーワードを分析してもよい。広告分析部２２０は、広告主ウェブサイトのＵＲＬ情報を用いてクローリング（Ｃｒａｗｌｉｎｇ）によって広告主ウェブサイトの内容を取得して、広告主ウェブサイトの内容を分析してもよい。
【００３３】
図４は、広告主ウェブサイトのタイトルおよび説明文を最小単位で分析した結果の一例を示す図である。
【００３４】
図４を参照すれば、最小単位リスト４００は、最小単位で分離されたキーワードを含む。キーワードは、図３に示されるような広告主ウェブサイトのタイトル３１０、広告主ウェブサイトの説明文３２０、または広告主ウェブサイトＵＲＬ３３０を用いたクローリングによって広告主ウェブサイトの内容を分析した結果に含まれる。最小単位は、キーワードが単独で意味を有する最小の単位としてもよい。広告分析部２２０は、図３に示すような広告主ウェブサイトのタイトル３１０に含まれたキーワードである「インターパークキャノンカメラ」を分析し、最小単位リスト４００に含まれた「インターパーク、キャノン、カメラ」のように最小単位にキーワードを分離してもよい。また、広告分析部２２０は、図３に示されるような広告主ウェブサイトの説明文３２０に含まれたキーワードである「キャノンカメラ、ブランド別、画素別デジタルカメラ、デジタルカムコーダ、楽しいインターパークショッピング」を分析し、最小単位リスト４００に含まれた「キャノン、カメラ、ブランド別、デジタルカメラ、画素別、デジタル、カムコーダ、楽しい、ショッピング」のように最小単位にキーワードを分離してもよい。このように、広告分析部２２０は、広告主ウェブサイトのタイトル３１０または広告主ウェブサイトの説明文３２０に含まれたキーワードを所定の単位で分析してもよい。
【００３５】
また、広告分析部２２０は、オートコンプリートクエリまたは関連キーワードを拡張キーワードとして分析してもよい。オートコンプリートクエリまたは関連キーワードは所定の単位で分析されたキーワードを用いて生成される。
【００３６】
インプレッションキーワード生成部２３０は、分析結果に基づいてインプレッションキーワード（impression keyword）を生成する。一例として、インプレッションキーワード生成部２３０は、所定の単位で分析されたキーワードを個別にインプレッションキーワードとして用いてもよいし、所定の単位で分析されたキーワードを組み合わせてインプレッションキーワードを生成してもよい。
【００３７】
図５は、最小単位で分析されたキーワードを用いて生成されたインプレッションキーワードの一例を示す図である。
【００３８】
図５を参照すれば、インプレッションキーワード生成部２３０は、分析結果に基づいて所定の単位、すなわち、最小単位で分析されたキーワードを個別に用いて第１インプレッションキーワード５１０を生成してもよい。一例として、第１インプレッションキーワード５１０としては、図４に示されるような最小単位リスト４００に含まれたキーワードである「インターパーク、キャノン、カメラ、ブランド別、画素別、デジタルカメラ、デジタル、カムコーダ、ショッピング、楽しい」のようなキーワードが個別に使用されてもよい。
【００３９】
また、インプレッションキーワード生成部２３０は、分析結果に基づいて所定の単位で分析されたキーワードを組み合わせて、第２インプレッションキーワード５２０または第３インプレッションキーワード５３０を生成してもよい。一例として、第２インプレッションキーワード５２０は、「インターパーク」と「インターパーク」を除いた残りのキーワードである「キャノン、カメラ、ブランド別、画素別、デジタルカメラ、デジタル、カムコーダ、ショッピング、楽しい」とを組み合わせ、「インターパークカメラ、インターパークブランド別、インターパーク画素別、インターパークデジタルカメラ、インターパークデジタル、インターパークカムコーダ、インターパークショッピング、インターパーク楽しい」のように生成されてもよい。全てのキーワード「インターパーク、キャノン、カメラ、ブランド別、画素別、デジタルカメラ、デジタル、カムコーダ、ショッピング、楽しい」は、図４の最小単位リスト４００に含まれる。また、一例として、第３インプレッションキーワード５３０は、「インターパーク」を除いた残りのキーワードである「キャノン、カメラ、ブランド別、画素別、デジタルカメラ、デジタル、カムコーダ、ショッピング、楽しい」と「インターパーク」とを組み合わせ、「カメラインターパーク、ブランド別インターパーク、画素別インターパーク、デジタルカメラインターパーク、デジタルインターパーク、カムコーダインターパーク、ショッピングインターパーク、楽しいインターパーク」のように生成されてもよい。この場合、キーワード「キャノン、カメラ、ブランド別、画素別、デジタルカメラ、デジタル、カムコーダ、ショッピング、楽しい」は、キーワード「インターパーク」の前に配置される。
【００４０】
一例として、インプレッションキーワード生成部２３０は、所定の単位で分析されたキーワードまたは拡張キーワードを個別に用いてもよい。あるいは、インプレッションキーワード生成部２３０は、所定の単位で分析されたキーワードおよび拡張キーワードを組み合わせて、インプレッションキーワードを生成してもよい。
【００４１】
図６は、最小単位で分析されたキーワードを用いたオートコンプリートクエリの一例を示す図である。
【００４２】
図６を参照すれば、インプレッションキーワード生成部２３０は、図４に示されるような最小単位リスト４００に含まれたキーワードを分析して、オートコンプリートクエリ６１０を抽出してもよい。インプレッションキーワード生成部２３０は、オートコンプリートクエリ６１０を用いて拡張したインプレッションキーワードを生成してもよい。一例として、最小単位リスト４００に含まれた「カメラ」というキーワードがユーザによって入力され、さらに「カメラバック」や「カメラレンズ」などのクエリが一般に入力される場合、このようなユーザのクエリは事前に分析されてもよい。したがって、ユーザによって「カメラ」がキーワードとして入力されると、「カメラバック」、「カメラレンズ」といったオートコンプリートクエリ６１０が自動的に完成されてもよい。
【００４３】
図７は、最小単位で分析されたキーワードと関連した関連キーワードの一例を示す図である。
【００４４】
図７を参照すれば、インプレッションキーワード生成部２３０は、図４に示されるような最小単位リスト４００に含まれたキーワードを分析することにより、関連キーワード７１０を抽出する。関連キーワード７１０は、分析されたキーワードと関連性が高い。インプレッションキーワード生成部２３０は、関連キーワード７１０を用いて拡張したインプレッションキーワードを生成してもよい。一例として、関連キーワード７１０は、最小単位リスト４００に含まれた「カメラ」というキーワードがユーザによってクエリとして入力され、さらに、他のクエリとして「写真機、手動カメラ、ニコン、デジタルカメラ、キャノン」が入力される場合、ユーザのクエリパターンを事前に分析してもよい。したがって、「カメラ」というキーワードと関連性が高いキーワードとして「写真機、手動カメラ、ニコン、デジタルカメラ、キャノン」といった関連キーワード７１０が抽出されてもよい。
【００４５】
図８は、オートコンプリートクエリ、関連キーワード、または最小単位で分析されたキーワードを用いて生成されたインプレッションキーワードの一例を示す図である。
【００４６】
図８を参照すれば、インプレッションキーワード生成部２３０は、分析結果に基づいて所定の単位、すなわち、最小単位で分析されたキーワードを個別に用いて、第１インプレッションキーワード８１０を生成してもよい。一例として、第１インプレッションキーワード８１０として、図４に示されるような最小単位リスト４００に含まれたキーワードである「インターパーク、キャノン、カメラ、ブランド別、画素別、デジタルカメラ、デジタル、カムコーダ、楽しい、ショッピング」などが、個別に用いられてもよい。
【００４７】
また、インプレッションキーワード生成部２３０は、分析結果に基づいて所定の単位で分析されたキーワードを組み合わせて、第２インプレッションキーワード８２０または第３インプレッションキーワード８３０を生成してもよい。一例として、図６に示されたオートコンプリートクエリ６１０が、個別に、又は、組み合わされて、第２インプレッションキーワード８２０として用いられてもよい。特に、オートコンプリートクエリ６１０と図４に示されるような最小単位リスト４００に含まれたキーワードである「キャノン、カメラ、ブランド別」とを組み合わせることによって、第２インプレッションキーワード８２０、例えば、「カメラバック、カメラレンズ、キャノンカメラバック、ブランド別カメラレンズ」が生成されてもよい。また、図７に示された関連キーワード７１０は、個別に、又は、組み合わされて、第３インプレッションキーワードとして用いられてもよい。特に、第３インプレッションキーワード８３０、例えば、「写真機、手動カメラ、ニコンカメラ、手動カメラショッピング、カムコーダニコン」は、関連キーワード７１０と、図４に示されるような最小単位リスト４００に含まれたキーワードとを組み合わされることにより生成されてもよい。
【００４８】
このように、インプレッションキーワード生成部２３０は、所定の単位で分析されたキーワードとオートコンプリートクエリまたは関連キーワードとを組み合わせて、インプレッションキーワードを生成してもよい。
【００４９】
比較部２４０は、クエリとインプレッションキーワードとを比較する。特に、比較部２４０は、インプレッションキーワードとユーザによって入力されたクエリに含まれたキーワードとを比較する。一例として、クエリが「カメラ」である場合、比較部２４０は、クエリである「カメラ」と図５および図８に示されるようなインプレッションキーワード５１０、５２０、５３０、８１０、８２０、８３０とを比較してもよい。
【００５０】
広告表示部２５０は、比較結果に基づいて、インプレッションキーワードに対応する広告を表示する。特に、比較結果に基づいてクエリがインプレッションキーワードに含まれる場合、広告表示部２５０は、インプレッションキーワードに対応する広告を表示してもよい。一例として、「カメラ」というクエリが図５または図８に示されるようなインプレッションキーワード５１０、５２０、５３０、８１０、８２０、８３０に含まれるため、広告表示部２５０は、いんぷいれっションキーワードに対応する広告を表示することができる。広告表示部２５０は、インプレッションキーワードに対応する広告として、図３に示されるような広告主ウェブサイトのタイトル、広告主ウェブサイトの説明文、または広告主ウェブサイトのＵＲＬを表示してもよいし、広告主によって予め登録された他のタイプの広告を表示してもよい。
【００５１】
広告データベース２６０は、広告主から入力された広告主ウェブサイトのタイトル、広告主ウェブサイトの説明、広告主ウェブサイトのＵＲＬ、広告内容、または広告条件などを記録して保持する。また、広告データベース２６０は、インプレッションキーワードまたは広告キーワード(advertisement keyword)に対応する広告データを記録して保持する。
【００５２】
図９は、入力クエリに対応する広告の表示の一例を示す図である。
【００５３】
図９を参照すれば、検索結果画面９００に「カメラ」というクエリ９１０がユーザによって入力される場合、広告表示部２５０は、比較結果に基づいて、クエリに対応する広告キーワードを購買した広告主の広告ＡＤ１（９２１）を優先的に表示し、広告キーワードを購買していない広告主のインプレッションキーワードに対応する広告ＡＤ２（９２２）を表示してもよい。すなわち、広告データベース２６０を参照して、ユーザによって入力されたクエリ９１０である「カメラ」というキーワードを含む広告キーワードまたはインプレッションキーワードが存在する場合、広告表示部２５０は、広告キーワードに対応する広告ＡＤ１（９２１）を優先的に表示してから、広告キーワードを購買していない広告主のインプレッションキーワードに対応する広告ＡＤ２（９２２）を表示してもよい。
【００５４】
このように、自動検索広告表示システムは、広告キーワード（advertisement keyword）を個別に購買しない広告主ウェブサイトのタイトルまたは説明文を分析し、広告を自動で表示することができる。
【００５５】
また、自動検索広告表示システムは、広告主ウェブサイトのタイトル、説明文、内容、または広告条件に含まれたキーワードを分析して、オートコンプリートキーワード、関連キーワード、または推薦キーワードなどのように多様な拡張キーワードを用いてもよい。したがって、自動検索広告表示システムは、広告キーワードを個別に購買しない広告主の広告を表示してもよい。
【００５６】
図１０は、本発明の一実施形態に係る自動検索広告表示方法の流れを示すフローチャートである。
【００５７】
図１０を参照すれば、ステップＳ１０１０において、自動検索広告表示システムは、広告主ウェブサイトのタイトル、広告主ウェブサイトの説明文、広告主ウェブサイトの内容、または広告主によって入力された条件に含まれたキーワードを分析する。特に、ステップＳ１０１０において、自動検索広告表示システムは、図３に示されるような広告主ウェブサイトのタイトル３１０、広告主ウェブサイトの説明文３２０、および広告主ウェブサイトのＵＲＬ３３０を用いてクローリングすることにより、広告内容または広告主によって入力された広告条件に含まれたキーワードを分析してもよい。また、ステップＳ１０１０において、自動検索広告表示システムは、広告キーワードを個別に購買しない広告主の広告主ウェブサイトのタイトル、広告主ウェブサイトの説明文、広告主ウェブサイトの広告内容、または広告条件に含まれたキーワードを分析してもよい。
【００５８】
また、ステップＳ１０１０において、自動検索広告表示システムは、広告主ウェブサイトのタイトルまたは広告主ウェブサイトの説明文、広告主ウェブサイトの内容、或いは、広告主によって入力された広告条件に含まれたキーワードを所定の単位で分析してもよい。一例として、ステップＳ１０１０において、自動検索広告表示システムは、図３に示される広告主ウェブサイトのタイトル３１０に含まれたキーワードである「インターパークキャノンカメラ」を分析し、図４に示される最小単位リスト４００に含まれた「インターパーク、キャノン、カメラ」のような最小単位にキーワードを分離してもよい。
【００５９】
また、ステップＳ１０１０において、自動検索広告表示システムは、図３に示された広告主ウェブサイトの説明文３２０に含まれたキーワードである「キャノンカメラ、ブランド別、画素別デジタルカメラ、デジタルカムコーダ、楽しいインターパークショッピング」を分析し、図４に示される最小単位リスト４００に含まれた「キャノン、カメラ、ブランド別、画素別、デジタルカメラ、デジタル、カムコーダ、楽しい、ショッピング」といった最小単位にキーワードを分離してもよい。
【００６０】
また、ステップＳ１０１０において、自動検索広告表示システムは、所定の単位で分析されたキーワードを用いて、オートコンプリートクエリまたは関連キーワードを生成する動作をさらに含んでもよい。
【００６１】
一例として、ステップＳ１０１０において、図４に示される最小単位リスト４００に含まれた「カメラ」というキーワードがユーザによって入力されてから、「カメラバック」や「カメラレンズ」といったクエリが主に入力される場合、このようなユーザのクエリを事前に分析してもよい。したがって、ユーザによって「カメラ」というキーワードのみが入力されても、自動検索広告表示システムは、「カメラバック、カメラレンズ」といったオートコンプリートクエリ６１０を自動的に完成してもよい。
【００６２】
一例として、ステップＳ１０１０において、自動検索広告表示システムは、図４に示される最小単位リスト４００に含まれた「カメラ」というキーワードがユーザによってクエリとして入力されてから、他のクエリとして「写真機、手動カメラ、ニコン、デジタルカメラ、キャノン」が入力される場合、ユーザのクエリパターンは事前に分析されてもよい。したがって、自動検索広告表示システムは、「写真機、手動カメラ、ニコン、デジタルカメラ、キャノン」といった図７に示される関連キーワード７１０を生成してもよい。関連キーワード７１０は、「カメラ」というキーワードに高い関連性がある。
【００６３】
ステップＳ１０２０において、自動検索広告表示システムは、分析結果に基づいてインプレッションキーワードを生成する。特に、ステップＳ１０２０において、自動検索広告表示システムは、所定の単位で分析されたキーワードを個別にインプレッションキーワードとして用いてもよいし、所定の単位で分析されたキーワードを組み合わせてインプレッションキーワードを生成してもよい。
【００６４】
一例として、ステップＳ１０２０において、自動検索広告表示システムは、分析結果に基づいて所定の単位で分析されたキーワードを個別にインプレッションキーワードとして用いてもよい。例えば、図４に示されるような最小単位リスト４００に含まれた「インターパーク、キャノン、カメラ、ブランド別、画素別、デジタルカメラ、デジタル、カムコーダ、楽しい、ショッピング」といったキーワードは、それぞれ個別にインプレッションキーワードとして用いられてもよい。
【００６５】
また、ステップＳ１０２０において、自動検索広告表示システムは、所定の単位で分析されたキーワード、オートコンプリートクエリ、または関連キーワードを個別に用いてもよいし、所定の単位で分析されたキーワード、オートコンプリートクエリ、または関連キーワードを組み合わせてインプレッションキーワードを生成してもよい。
【００６６】
一例として、ステップＳ１０２０において、自動検索広告表示システムは、図６に示されるようなオートコンプリートクエリ６１０を個別に用いてもよいし、オートコンプリートクエリ６１０とインプレッションキーワードとしてのキーワードとを組み合わせてもよい。特に、インプレッションキーワード、例えば、「カメラバック、カメラレンズ、キャノンカメラバック、ブランド別カメラレンズ」は、オートコンプリートクエリ６１０と図４に示されるような最小単位リスト４００に含まれたキーワードである「キャノン、カメラ、ブランド別」とを組み合わせることにより、生成されてもよい。
【００６７】
一例として、ステップＳ１０２０において、自動検索広告表示システムは、図７に示されるような関連キーワード７１０を個別に用いてもよいし、関連キーワード７１０とインプレッションキーワードとしてのキーワードとを組み合わせてもよい。特に、インプレッションキーワード、例えば、「写真機、手動カメラ、ニコンカメラ、手動カメラショッピング、カムコーダニコン」は、関連キーワード７１０と図４に示されるような最小単位リスト４００に含まれたキーワードとを組み合わせることにより、生成されてもよい。
【００６８】
ステップＳ１０３０において、自動検索広告表示システムは、ユーザからクエリを受信する。特に、ステップＳ１０３０において、自動検索広告表示システムは、ユーザから検索しようとする内容に対応するクエリを受信してもよい。一例として、ステップＳ１０３０において、自動検索広告表示システムは、ユーザから「カメラ」といったクエリを受信する。
【００６９】
ステップＳ１０４０において、自動検索広告表示システムは、クエリとインプレッションキーワードとを比較する。特に、ステップＳ１０４０において、自動検索広告表示システムは、インプレッションキーワードとクエリに含まれたキーワードとを比較する。
【００７０】
ステップＳ１０５０において、自動検索広告表示システムは、比較結果に基づいてインプレッションキーワードに対応する広告を表示する。特に、ステップＳ１０５０において、比較の結果、クエリに含まれたキーワードがインプレッションキーワードに含まれる場合、自動検索広告表示システムは、インプレッションキーワードに対応する広告を表示してもよい。
【００７１】
また、ステップＳ１０５０において、自動検索広告表示システムは、比較結果に基づき、クエリに含まれたインプレッションキーワードに対応する広告キーワード（advertisement keyword）を購買した広告主の広告を優先的に表示してから、広告キーワードを購買しない広告主のインプレッションキーワードに対応する広告を表示してもよい。
【００７２】
一例として、ステップＳ１０５０において、ユーザによって入力されたクエリ９１０である「カメラ」というキーワードを含む広告キーワードまたはインプレッションキーワードが存在する場合、自動検索広告表示システムは、広告キーワードに対応する広告ＡＤ１（９２１）を優先的に表示してから、広告キーワードを購買していない広告主のインプレッションキーワードに対応する広告ＡＤ２（９２２）を表示してもよい。
【００７３】
このように、自動検索広告表示方法は、広告主ウェブサイトのタイトル、説明文、内容、または条件に含まれたキーワードを分析して、オートコンプリートキーワード、関連キーワード、または推薦キーワードなどのような多様な拡張キーワードを生成して、広告を表示してもよい。
【００７４】
また、自動検索広告表示方法は、広告主のリクエスト情報、またはユーザの入力情報を活用することによって、ユーザ及び広告主からのリクエストに対処して広告を表示してもよい。
【００７５】
なお、本発明の上述の実施形態は、コンピュータにより実現される多様な動作を実行するためのプログプログラム命令を含むコンピュータ読取可能媒体に記録されてもよい。当該媒体は、プログラム命令、データファイル、データ構造などを単独でまたは組み合わせて含んでもよい。当該媒体およびプログラム命令は、本発明の目的のために特別に設計されて構成されたものでもよく、コンピュータソフトウェア分野の技術を有する当業者にとって公知であり使用可能なものであってもよい。コンピュータ読取可能媒体の例としては、ハードディスク、フロッピー（登録商標）ディスク、および磁気テープのような磁気媒体、ＣＤ−ＲＯＭ、ＤＶＤのような光記録媒体、フロプティカルディスク（floptical disk）のような磁気−光媒体、およびＲＯＭ、ＲＡＭ、フラッシュメモリなどのようなプログラム命令を保存して実行するように特別に構成されたハードウェア装置が含まれる。プログラム命令の例としては、コンパイラによって生成されるような機械コードだけでなく、インタプリタ（interpreter）を用いてコンピュータによって実行可能な高級コードを含むファイルを含む。上述のハードウェア装置は、本発明の上述の実施形態の動作をするために、１つ以上のソフトウェアモジュールとして動作するよう設定されてもよい。
【００７６】
本発明の一実施形態によれば、自動検索広告表示方法およびそのシステムは、広告キーワードを個別に購買しない広告主の場合でも、広告主ウェブサイトのタイトルまたは説明文を分析して、広告を表示する。
【００７７】
また、本発明の一実施形態によれば、自動検索広告表示方法およびそのシステムは、広告ウェブサイトのタイトル、内容、説明文、または条件を分析した結果によるキーワードがクエリとして入力される場合、広告を表示する。
【００７８】
また、本発明の一実施形態によれば、自動検索広告表示方法およびそのシステムは、広告ウェブサイトのタイトル、内容、説明文、または条件に含まれたキーワードを分析して、オートコンプリートキーワード、関連キーワード、または推薦キーワードなどのような多様な拡張キーワードを生成して、広告を表示する。
【００７９】
また、本発明の一実施形態によれば、自動検索広告表示方法およびそのシステムは、広告主のリクエスト情報を活用することによって広告主のリクエストに対処して、広告を表示する。
【００８０】
さらに、本発明の一実施形態によれば、自動検索広告表示方法およびそのシステムは、ユーザの入力情報を活用することによってユーザのリクエストに対処して、広告を表示する。
【００８１】
本発明のいくつかの実施形態を参照して説明したが、本発明は述べられた実施形態に限定されるものではない。該当する技術分野において熟練した当業者にとっては、特許請求の範囲に記載された本発明の思想および領域から逸脱しない範囲内で、本発明を多様に修正および変更することができるということを理解できるであろう。
【図１】
0005754939.tif 000002
【図２】
0005754939.tif 000003
【図３】
0005754939.tif 000004
【図４】
0005754939.tif 000005
【図５】
0005754939.tif 000006
【図６】
0005754939.tif 000007
【図７】
0005754939.tif 000008
【図８】
0005754939.tif 000009
【図９】
0005754939.tif 000010
【図１０】
0005754939.tif 000011